(57)【特許請求の範囲】
【請求項１】
固定フレームの開口部を閉鎖する可動パネルに固定される固定ハウジングと、前記固定ハ
ウジングの正面壁の鍵穴に抜差しされる鍵部を先端に有するハンドルと、前記固定ハウジ
ング内にあり、前記ハンドルの前記鍵部によって施錠位置と解錠位置の間で回転駆動され
る主軸と、前記主軸の後端部に固定され、前記固定フレーム側の受部と係合して前記可動
パネルを前記固定フレームに係止する施錠部材とからなり，
前記固定ハウジングは，前記正面壁と前記主軸との間にロータが存在し，前記ロータの後
面側には軸方向に沿って溝部又は突起が存在し，前記主軸の前面側には前記ロータの前記
溝部又は前記突起に嵌る突起又は溝部が軸方向に沿って存在し，前記ロータを前記固定ハ
ウジングの前記正面壁に向かって押すバネ部材が存在しており，前記ロータの前面側に一
定角度αの角度間隔を置いて同一円周上に第一凹部及び第二凹部が存在し，前記固定ハウ
ジングの前記正面壁の背面側に一定の角度間隔αを置いて同一円周上に第一凸部及び第二
凸部が存在し、前記主軸が施錠位置にあるとき、前記第一凹部及び第二凹部に前記第一凸
部及び第二凸部がそれぞれ嵌まる抜差し型ロックハンドル装置において，
前記固定ハウジングの前記正面壁の前記鍵穴が、前記正面壁の中心部を貫通する円形中央
部と、前記円形中央部の側方に一定角度αの角度間隔を置いて連設された第一直線部と第
二直線部とから成る倒立L字状のものであり、
前記ハンドルの鍵部には、前記鍵穴の前記円形中央部に差し込まれる円筒部と、前記鍵穴
の前記第一直線部に差し込まれる第一板部と、前記鍵穴の前記第二直線部に差し込まれる
第二板部とが存在し、
前記ロータの前面中心部には，前記ハンドルの前記円筒部に嵌まる円柱部が軸方向に存在
し、前記円柱部の周辺部には，前記ハンドルの前記第一板部と前記第二板部が入り込む扇
形状の第一カットアウト部と、前記ハンドルの前記第二板部が入り込む第二カットアウト
部とが存在し，前記第一カットアウト部と前記第二カットアウト部が時計回り方向に沿っ
て連続して存在していること，
を特徴とする抜差し型ロックハンドル装置。
【請求項２】
請求項１の発明の抜差し型ロックハンドル装置において、前記ハンドルの前記鍵部の前記
第一板部が前記第二板部よりも長いこと，前記第一板部の外方先端部に軸方向に突出した
追加板部があること，及び，前記ロータの前記第一カットアウト部は、前記第一板部の前
記追加板部の軸方向突出し量相当分だけ前記第二カットアウト部よりも深いこと，
を特徴とする抜差し型ロックハンドル装置。
【発明の詳細な説明】
【技術分野】
【０００１】
本発明は、施錠成立後においては鍵部を有するハンドルがハウジングから抜き取られる抜
差し型ロックハンドル装置に関するものである。
【背景技術】
【０００２】
このようなロックハンドル装置は、特許第２７２４４５０号公報に示すようによく知られ
ているが、用途によってはハンドルが抜き取られるだけでは不十分な場合がある。
例えば駅ホームの転落防止柵設備でホーム縁部に立設した固定フレームに車両への乗降扉
の制御機器を収容し、この機器の点検修理用開口部を可動パネルによって閉鎖している。
この可動パネルは前記開口部を閉鎖した位置において、抜差し型ロックハンドル装置によ
って固定フレームに対して錠止されているが、常時一般公衆の目に曝されている抜差し型
ロックハンドル装置は、悪戯による弄くりを受け易い。
【先行技術文献】
【特許文献】
【０００３】
【特許文献１】特許第２７２４４５０号公報
【発明の概要】
【発明が解決しようとする課題】
【０００４】
解決しようとする問題点は、どうすれば悪戯による弄くりに対して強くすることができる
かの点である。
【課題を解決するための手段】
【０００５】
請求項１の発明の特徴とするところは，
固定フレームの開口部を閉鎖する可動パネルに固定される固定ハウジングと、前記固定ハ
ウジングの正面壁の鍵穴に抜差しされる鍵部を先端に有するハンドルと、前記固定ハウジ
ング内にあり、前記ハンドルの前記鍵部によって施錠位置と解錠位置の間で回転駆動され
る主軸と、前記主軸の後端部に固定され、前記固定フレーム側の受部と係合して前記可動
パネルを前記固定フレームに係止する施錠部材とからなり，
前記固定ハウジングは，前記正面壁と前記主軸との間にロータが存在し，前記ロータの後
面側には軸方向に沿って溝部又は突起が存在し，前記主軸の前面側には前記ロータの前記
溝部又は前記突起に嵌る突起又は溝部が軸方向に沿って存在し，前記ロータを前記固定ハ
ウジングの前記正面壁に向かって押すバネ部材が存在しており，前記ロータの前面側に一
定角度αの角度間隔を置いて同一円周上に第一凹部及び第二凹部が存在し，前記固定ハウ
ジングの前記正面壁の背面側に一定の角度間隔αを置いて同一円周上に第一凸部及び第二
凸部が存在し、前記主軸が施錠位置にあるとき、前記第一凹部及び第二凹部に前記第一凸
部及び第二凸部がそれぞれ嵌まる抜差し型ロックハンドル装置において，
前記固定ハウジングの前記正面壁の前記鍵穴が、前記正面壁の中心部を貫通する円形中央
部と、前記円形中央部の側方に一定角度αの角度間隔を置いて連設された第一直線部と第
二直線部とから成る倒立L字状のものであり、
前記ハンドルの鍵部には、前記鍵穴の前記円形中央部に差し込まれる円筒部と、前記鍵穴
の前記第一直線部に差し込まれる第一板部と、前記鍵穴の前記第二直線部に差し込まれる
第二板部とが存在し、
前記ロータの前面中心部には，前記ハンドルの前記円筒部に嵌まる円柱部が軸方向に存在
し、前記円柱部の周辺部には，前記ハンドルの前記第一板部と前記第二板部が入り込む扇
形状の第一カットアウト部と、前記ハンドルの前記第二板部が入り込む第二カットアウト
部とが存在し，前記第一カットアウト部と前記第二カットアウト部が時計回り方向に沿っ
て連続して存在して
いることである。
【０００６】
請求項２の発明の特徴とするところは，
請求項１の発明の抜差し型ロックハンドル装置において、
前記ハンドルの前記鍵部の前記第一板部が前記第二板部よりも長いこと，前記第一板部の
外方先端部に軸方向に突出した追加板部があること，及び，前記ロータの前記第一カット
アウト部は、前記第一板部の前記追加板部の軸方向突出し量相当分だけ前記第二カットア
ウト部よりも深いことである。
【発明の効果】
【０００７】
請求項１の発明の抜差し型ロックハンドル装置では、前記固定ハウジングの前記正面壁の
前記鍵穴が、前記正面壁の中心部を貫通する円形中央部と、前記円形中央部の側方に一定
角度αの角度間隔を置いて連設された第一直線部と第二直線部とから成る倒立L字状のも
のであり、前記ハンドルの鍵部には、前記鍵穴の前記円形中央部に差し込まれる円筒部と
、前記鍵穴の前記第一直線部に差し込まれる第一板部と、前記鍵穴の前記第二直線部に差
し込まれる第二板部とが存在し、前記ロータの前面中心部には，前記ハンドルの前記円筒
部に嵌まる円柱部が軸方向に存在し、前記円柱部の周辺部には，前記ハンドルの前記第一
板部と前記第二板部が入り込む扇形状の第一カットアウト部と、前記ハンドルの前記第二
板部が入り込む第二カットアウト部とが存在し，前記第一カットアウト部と前記第二カッ
トアウト部が時計回り方向に沿って連続して存在しているので，
正規の前記鍵部付きハンドルを有しない者が、前記鍵穴を通過して前記ロータにアクセス
するには、入手が容易な通常のマイナスドライバでは駄目であり、前記特有の鍵穴形状及
び前記特有のロータ形状に対応した器材をあらかじめ準備しなければならないが、現実問
題としてこの作成入手は困難である。そのため、悪戯による弄くりに対して強いものが得
られる。
【０００８】
請求項２の発明の抜差し型ロックハンドル装置では、前記ハンドルの前記鍵部の前記第一
板部が前記第二板部よりも長いものであり，前記第一板部の外方先端部に軸方向に突出し
た追加板部があり，前記ロータの前記第一カットアウト部は、前記第一板部の前記追加板
部の軸方向突出し量相当分だけ前記第二カットアウト部よりも深いものであるため，悪戯
による弄くりに対して更に強いものが得られる。
【図面の簡単な説明】
【０００９】
【図１】図１は請求項１及び請求項２の発明の実施例に係る抜差し型ロックハンドル    装置の正面図であり、ハンドルが固定ハウジングから抜き取られた施錠成立状態を示    している。
【図２】図２は図１のロックハンドル装置の右側面図である。
【図３】図３は図１のロックハンドル装置の背面図である。
【図４】図４は図１のＡ−Ａ線断面図である。
【図５】図５は図１のロックハンドル装置の固定ハウジングを装着する取付穴を示し    た固定フレームの正面である。
【図６】図６は図１のロックハンドル装置に用いた固定ハウジングの正面図である。
【図７】図７は図６の固定ハウジングの右側面図である。
【図８】図８は図６の固定ハウジングの背面図である。
【図９】図９は図６のＢ−Ｂ線断面図である。
【図１０】図１０は図６のＣ−Ｃ線断面図である。
【図１１】図１１は図９のＤ−Ｄ線断面図である。
【図１２】図１２は図1のロックハンドル装置に用いたロータの正面図である。
【図１３】図１３は図１２のロータの左側面図である。
【図１４】図１４は図１２のロータの背面図である。
【図１５】図１５は図１２のロータの平面図である。
【図１６】図１６は図１２のロータの底面図である。
【図１７】図１７は図１２のＥ−Ｅ線断面図である。
【図１８】図１８は図１５のＦ−Ｆ線断面図である。
【図１９】図１９は図１のロックハンドル装置に用いた主軸の正面図である。
【図２０】図２０は図１９の主軸の右側面図である。
【図２１】図２１は図１９の主軸の背面図である。
【図２２】図２２は図１９の主軸の平面図である。
【図２３】図２３は図１９のＧ−Ｇ線断面図である。
【図２４】図２４は図１のロックハンドル装置に用いた保護キャップの正面図である    。
【図２５】図２５は図２４の保護キャップの背面図である。
【図２６】図２６は図２４のＨ−Ｈ線断面図である。
【図２７】図２７は図２４のＩ−Ｉ線断面図である。
【図２８】図２８は図１のロックハンドル装置に用いたパッキングプレートの正面図    である。
【図２９】図２９は図２８のＪ−Ｊ線断面図である。
【図３０】図３０は図１のロックハンドル装置に用いた保護シートの正面図である。
【図３１】図３１は図１のロックハンドル装置に用いたハンドルの斜視図である。
【図３２】図３２は図３１のハンドルの左側面図である。
【図３３】図３３は図３１のハンドルの底面図である。
【図３４】図３４は図３１のハンドルの鍵部の正面図である。
【図３５】図３５は図１のロックハンドル装置に用いた回転角度規制板の背面図であ    る。
【発明を実施するための形態】
【００１０】
図面に示した抜き差し型ロックハンドル装置は、固定ハウジング１０と、固定ハウジング
１０内に存在するロータ２０及び主軸３０と、固定ハウジング１０の正面壁１１に存在す
る鍵穴４０と、ハンドル５０の先端に存在する鍵部６０を有する。
円筒状の固定ハウジング１０の外周面には螺子山１２が存在し，固定ハウジング１０の横
断面形状は外周面両側の平行直線面部１３によって、小判形状になっている。固定フレー
ム７０の開口部７１を開閉する可動パネル７２には、固定ハウジング１０が正面側から回
転不能に挿入される小判形状の取付穴７３が設けられている。固定ハウジング１０は螺子
山１２に嵌めた六角ナット７４によって、パッキングプレート８０及びバネリング７５を
介して可動パネル７２に締付け固着される。
【００１１】
このとき、例えばエチレンプロピレンゴム製のパッキングプレート８０は、可動パネル７
２の前面７６と固定ハウジング１０の前端鍔部１４の後面１５との間で適度に圧縮される
。パッキングプレート８０には、小判形状の中央貫通穴８１を包囲して、前後面に環状リ
ブ８２，８３を設けてある。パッキングプレート８０は締付け時にその略全体が保護キャ
ップ９０の短円筒状スカート部９１内に押し込まれる。保護キャップ９０は、固定ハウジ
ング１０の正面壁１１及び前端鍔部１４の外周面部の全体に被せられる。パッキングプレ
ート８０と可動パネル７２との間には、保護シート９９が挟み込まれている。
【００１２】
保護キャップ９０には、短円筒状スカート部９１の内周面の中間位置に上方１個の係止
突起９２aと右方２個の係止突起９２b，９２c、下方２個の係止突起９２d，９２eと左
方２個の係止突起９２f，９２gが存在する。下方２個の係止突起９２d，９２eの間に
は水抜き用切欠９３が存在する。固定ハウジング１０の前端鍔部１４の後面と外周面の
交差角部には、上下左右四個の係止溝１6６a,１６b，１６c, １６dが存在し，下側の係
止溝１５ｃの中央部には水抜き溝１７が存在する。
保護キャップ９０は、上方１個の係止突起９２aを上方の係止溝１６aに弾性係合させ、右
方２個の係止突起９２b，９２cを右方の係止溝１６ｂに弾性係合させ、下方２個の係止突
起９２d,９２eを下方の係止溝１６cに弾性係合させ、左方２個の係止突起９２f，９２g
を左方の係止溝１６dに弾性係合させることによって、固定ハウジング１０の前端鍔部１
４に固定される。保護キャップ７０は固定ハウジング１０に対する回転を阻止され、保護キ
ャップ９０の受穴９４と固定ハウジング１０の鍵穴４０は常に互いに整合した位置に保持さ
れている。受穴９４は保護キャップ９０の前面壁９３の中央部に貫通して設けられ、鍵穴４
０は固定ハウジング１０の正面壁１１の中央部に貫通して設けられている。パッキングプレ
ート８０の前面側の環状リブ８２は、前記７個の係止突起９２a,９２b,９２c,９２d,９２e
,９２gの後面部を押している。
【００１３】
ロータ２０は円筒形であり、固定ハウジング１０の正面壁１１と主軸３０との間において
固定ハウジング１０内に存在する。ロータ２０の後面２７には、一定の角度間隔αを置い
て同一円周状に３個の溝部２１a,２１b，２１cが存在し、主軸３０の前面３７には、一定
の角度間隔αを置いて同一円周状に３個の突起３１a, ３１b，３１cが存在する。
これらの溝部２１a, ２１b, ２１cと突起３１a, ３１b, ３１c、は軸方向に存在しており、
両者が嵌ることによって、ロータ２０は主軸３０に対して一体回転可能及び軸方向に移動
可能に接続される。この溝部と突起は設ける相手を反対にしてもよい。主軸３０とロータ
２０との間には、圧縮コイルバネよりなるバネ部材１００が挿入されており、ロータ２０
は固定ハウジング１０の正面壁１１に向かって押している。
【００１４】
ロータ２０の前面側には、一定角度αの角度間隔を置いて同一円周上に第一凹部２２a及
び第二凹部２２bが存在し、固定ハウジング１０の正面壁１１の背面側には、一定の角度
間隔αを置いて同一円周上に第一凸部１８a及び第二凸部１８bが存在しており、主軸３
０が施錠位置にあるとき、第一凹部２２a及び第二凹部２２bが第一凸部１８a及び第二
凸部１８bにそれぞれ嵌ることによって、ロータ２０及び主軸３０の回転を制止する。
また、固定フランジ１０の正面壁１１の後面に当接するロータ２０の前面には、第一凹部
２２aと第二凹部２２bの間に１個のインジケータ部２３が存在し、ハンドル５０を一定
角度αだけ回転操作して固定ハウジング１０に対するロータ２０及び主軸３０の錠止を成
立させたとき、ロータ２０のインジケータ部２３が固定ハウジング１０の正面壁１１の確
認窓１９の背後に位置する。
【００１５】
保護キャップ９０は固定ハウジング１０の正面壁１１に嵌って鍵穴４０を前面側から閉鎖
し、ロータ２０は固定ハウジング１０の鍵穴４０を後面側から閉鎖しており、主軸３０と
固定ハウジング１０の内面との間にはシールリング１１０を挿入してある。シールリング
１１０はＯ−リングであり、主軸３０の外周溝３２に収容されている。
【００１６】
固定ハウジング１０の鍵穴４０は、正面壁１１の中心部を貫通する円形中央部４１と、円
形中央部４１の側方に一定角度αの角度間隔を置いて連設された第一直線部４２と第二直
線部４３とから成る倒立L字状のものである。
ハンドル５０の先端にある鍵部６０は、鍵穴４０の円形中央部４１に差し込まれる円筒部
６１と、鍵穴４０の第一直線部４２に差し込まれる第一板部６２と、鍵穴４０の第二直線
部４３に差し込まれる第二板部６３とから成る。ハンドル５０の他端部には円盤状の指当
て部５１が設けられている。
保護キャップ９０の受穴９５は、前面壁９４の中心部を貫通する円形中央部９６と、円形
中央部９６の側方に一定角度αの角度間隔を置いて連設された第一直線部９７と第二直線
部９８とから成る倒立L字状のものである。
【００１７】
ロータ２０の前面中心部には、鍵部６０の円筒部６１に嵌る円柱部２４が軸方向に存在し、
円柱部２４の周辺部には、鍵部６０の第一板部６２と第二板部６３が同時に挿入される大
きさの扇形状の第一カットアウト部２５と、鍵部６０の第二板部６３だけが入り込み可能
な第二カットアウト部２６が、時計回り方向に沿って連続して存在する。
ハンドル５０の鍵部６０の第一板部６２は、第二板部６３よりも半径方向に突出長さを長
く形成されており、第一板部６２は外方先端部に追加板部６４を有している。第一カット
アウト部２５は、追加板部６４の軸方向突出し量相当分だけ第二カットアウト部２６より
も深く形成されている。
ロータ２０の後面２７の中心部には、バネ部材１００の端部挿入用凹部２８が設けられて
いる。主軸３０の前面３７の中心部には、バネ部材１００の端部挿入用凹部３０aが設け
られている。
【００１８】
固定ハウジング１０の正面壁１１にある確認窓１９の内周壁面１９aは、軸方向後端から
軸方向前端に向う程外側に開いた傾斜面部または傾斜面に形成されている。鍵穴４０の円
形中央部４１と第一直線部４２と第二直線部４３の内壁面も同様な傾斜面部または傾斜面
に形成されている。
保護キャップ９０の受穴９５の円形中央部９６と第一直線部９７と第二直線部９８の内壁
面も同様な傾斜面部または傾斜面に形成されている。保護キャップ９０の受穴９５は、固
定ハウジング１０の鍵穴４０より一回り大きくなっており、受穴９５の内壁面の延長上に
鍵穴４０の内壁面が来るようになっている。
本発明の構成作用の説明において、一定角度αなる記載が用いられているが、図示の実施
例では、一定角度αとは９０度のことである。この角度は適宜に増減することができる。
【００１９】
固定ハウジング１０の後端面には、常法に従って回転止め用突起１０aが設けられている。
主軸３０の後端角軸部３３には回転角度規制板３４が嵌められており、回転角度規制板３
４の角部３４a, ３４bが回転止め用突起１０aの各端面に打ち当たることによって、主軸
３０の回転角度は施錠方向及び開錠方向ともに一定角度αに規制されている。後端角軸部
３３には常法に従って板状の施錠部材３５が嵌められ、ビス３６によって主軸３０に締付
け固着されている。
【００２０】
ロータ２０の前面にはインジケータ部２３が設けられる。図示の実施例ではインジケータ
部２３は、ロータ２０の前面凹部内にロータ２０とは違う色のシールを貼り付けたもので
ある。インジケータ部２３は、、ロータの前面凹部内に黒色や赤色、緑色等の適当な塗料を
面一に充填することによって形成することもできる。
【００２１】
施錠状態では、固定ハウジング１０の正面壁１１の第一凸部１８a及び第二凸部１８bにロ
ータ２０の第一凹部２２a及び第二凹部２２bが係合しているため、ロータ２０は固定ハウ
ジング１０に対して回転不能である。第一凹部２２aと第二凹部２２bの間においてロータ
２０の前面に設けられたインジケータ部２３は、固定ハウジング１０の正面壁１１の確認
窓１９の背後に位置している。透明な保護キャップ９０を透してこれを視認することによ
って、操作者ないし管理者は、主軸３０に接続された施錠部材３５が固定フレーム側の受
金部７７と係合し、固定ハウジング１０にヒンジなどで装着された可動パネル７２が、閉
鎖位置において固定フレーム７０に開閉不能に施錠されていることを視認できる。
【００２２】
保護キャップ９０の受穴９５と固定ハウジング１０の鍵穴４０を通してハンドル５０の鍵
部６０を挿入したとき、鍵部６０の第一板部６２と第二板部６３がロータ２０の第一カッ
トアウト部２５に一緒に係合する。ハンドル５０の鍵部６０を押し込み、追加板部６４で
ロータ２０の第一カットアウト部２５の内底面を押圧すると、ロータ２０がバネ部材１０
０の付勢に抗して主軸３０に接近するように軸方向に移動する。ロータ２０の後面２７が
主軸３０の前面３７に当接することによって、ロータ２０は移動停止する。尚、主軸３０
は、固定ハウジング１０の後端部内周面の受溝３８に挿入されている止め輪３９によって、
後退移動を阻止される一方、固定ハウジング１０の後端面に当接する回転角度規制板３４
によって前進移動を阻止されている。
このように限定されたロータ２０の後退移動によって、固定ハウジング１０の正面壁１１
の第一凸部１８a及び第二凸部１８bとロータ２０の第一凹部２２a及び第二凹部２２bと
の係合が解除されるため、ロータ２０及び主軸３０が固定ハウジング１０に対して回転可
能になる。このとき、鍵部６０の第二板部６３はロータ２０の第二カットアウト部２６の
端面開口に対面し、鍵部６０の第一板部６２及び追加板部６４はロータ２０の第一カット
アウト部２５の端面壁に対面している。
【００２３】
ハンドル５０を反時計回り方向に回転させると、鍵部６０の第一板部６２及び追加板部６
４がロータ２０の第一カットアウト部２５の端面壁を押圧するため、ロータ２０が同方向
に回転させられる。このハンドル５０の回転操作に伴い、鍵部６０の第二板部６３がロー
タ２０の第二カットアウト部２６に入り込む。一定角度αまでハンドル５０が回転すると、
鍵部６０の第二板部６２がロータ２０の第二カットアウト部２６内を移動し、最終的に第
二板部６２が第二カットアウト部２６の端面壁に当接する。この段階では、ロータ２０の
インジケータ部２３は固定ハウジング１０の正面壁１１の背後に隠れる。ハンドル５０の
押し込みを止めると、ロータ２０がバネ部材１００の付勢によって正面壁１１に向かって
前進移動し、ロータ２０の第二凹部２２b及び第三凹部２２cが正面壁１１の第一凸部１８
a及び第二凸部１８bに係合する。このため、ロータ２０の回転は再び制止される。
【００２４】
ロータ２０及び主軸３０がこの位置にあるときには、施錠部材３５は固定フレーム７０側
の受金部７７から離脱しており、固定ハウジング１０を取り付けた可動パネル７２は開放
位置に移動可能な状態におかれる。
可動パネル７２の開放操作に当たっては、ロータ２０及び主軸３０の回転が制止されてい
るため、施錠部材３５が盲動して固定フレーム側の受金部７７と再係合するという面倒な
事態が起きることがない。
また、鍵部６０の第一板部６２と第二板部６２が鍵穴４０の周縁部において正面壁１１の
背面に当接するため、可動パネル７２はハンドル５０を引くことによって開放操作される。
【００２５】
固定フレーム７０内の装備機器に対する点検修理などの所要の作業の終了後、可動パネル
７２は閉鎖位置に戻される。そして、ロータ２０の第二凹部２２ｂ及び第三凹部２２cが
正面壁１１の第一凸部１８a及び第二凸部１８bから離脱するようにロータ２０を主軸３
に向ってハンドル５０で押した後、ハンドル５０を時計回り方向に一定角度αだけ回す。
そうすると、鍵部６０の第二板部６３がロータ２０の第二カットアウト部２６の端面壁を
押圧するため、ロータ２０及び主軸３０が同方向に回転する。この回転によって鍵部６０
の第一板部６２及び追加板部６４がロータ２０の第一カットアウト部２５内を回転移動す
る。ハンドル５０を一定角度αだけ回転すると、ロータ２０及び主軸３０が元の位置に復
帰する。この段階で、ハンドル５０をロータ２０から抜き出すと、正面壁１１の第一凸部
１８a及び第二凸部１８bとロータ２０の第一凹部２２a及び第二凹部２２bとの係合が成
立し、ロータ２０及び主軸３０は施錠位置に制止される。この施錠位置では、ロータ２０
のインジケータ部２３は固定ハウジング１０の正面壁１１の確認窓１９に重なった位置に
ある。
【００２６】
このように実施例の抜差し型ロックハンドル装置では，一定角度αの角度間隔で設けられ
た第一板部６２と第二板部６３及び追加板部６４を有する鍵部６０がなければロータ２０
を押し回すことができない。マイナスドライバなどの入手容易な器具によっては簡単にロ
ータ２０を押し回せないので、出来心や悪戯による不正規解錠に対して強い。
仮に解錠できても第二板部６３がなければ、ロータ２０を施錠可能位置に戻せないので、
可動パネル７２が開放されたままに放置されることになる。このように不正規解錠の痕跡
が明確に残されるため、それを知った固定フレーム７０の管理者は、収納機器の安全点検
などを直ちに実行することができる。
【符号の説明】
【００２７】
１０  固定ハウジング
２０  ロータ
３０  主軸
４０  鍵穴
５０  ハンドル
６０  鍵部
７０  固定フレーム
８０  パッキングプレート
９０  保護キャップ
１００  ロータ付勢用バネ部材
１１０  シールリング
１０a  固定ハウジングの回転止め用突起
１１  固定ハウジングの正面壁
１２  固定ハウジングの螺子山
１３  固定ハウジングの平行直線面部
１４  固定ハウジングの前端鍔部
１５  前端鍔部の後面
１６a  前端鍔部の係止溝
１６b  前端鍔部の係止溝
１６c  前端鍔部の係止溝
１６d  前端鍔部の係止溝
１７  前端鍔部の水抜き溝
１８a  正面壁の第１凸部
１８b  正面壁の第２凸部
１９  固定ハウジングの確認窓
１９a  確認窓の内壁面
２１a  ロータの溝部
２１b  ロータの溝部
２１c  ロータの溝部
２２a  ロータの第１凹部
２２b  ロータの第２凹部
２２c  ロータの第３凹部
２３  ロータのインジケータ部
２４  ロータの円柱部
２５  ロータの第一カットアウト部
２６  ロータの第二カットアウト部
２７  ロータの後面
２８  バネ部材の端部挿入用凹部
３０a  バネ部材の端部挿入用凹部
３１a  主軸の突起
３１b  主軸の突起
３１c  主軸の突起
３２  主軸の外周溝
３３  主軸の後端角軸部
３４  回転角度規制板
３４a  回転角度規制板の角部
３４b  回転角度規制板の角部
３５  施錠部材
３６  ビス
３７  主軸の前面
３８  止め輪挿入用の受溝
３９  止め輪
４１  鍵穴の円形中央部
４２  鍵穴の第一直線部
４３  鍵穴の第二直線部
５１  ハンドルの指当て部
６１  鍵部の円筒部
６２  鍵部の第一板部
６３  鍵部の第二板部
６４  第二板部の追加板部
７１  固定フレームの開口部
７２  固定フレームの可動パネル
７３  可動パネルの取付穴
７４  六角ナット
７５  バネリング
７６  可動パネルの前面
７７  固定フレームの受金部
８１  パッキングプレートの中央貫通穴
８２  パッキングプレート前面の環状リブ
８３  パッキングプレート後面の環状リブ
９１  保護キャップの短円筒状スカート部
９２a  保護キャップの係止突起
９２b  保護キャップの係止突起
９２c  保護キャップの係止突起
９２d  保護キャップの係止突起
９２e  保護キャップの係止突起
９２f  保護キャップの係止突起
９２g  保護キャップの係止突起
９３  保護キャップの水抜き用切欠
９４  保護キャップの前面壁
９５  保護キャップの受穴
９６  受穴の円形中央部
９７  受穴の第一直線部
９８  受穴の第二直線部
９９  保護シート
【図１】
0005975537.tif 000002
【図２】
0005975537.tif 000003
【図３】
0005975537.tif 000004
【図４】
0005975537.tif 000005
【図５】
0005975537.tif 000006
【図６】
0005975537.tif 000007
【図７】
0005975537.tif 000008
【図８】
0005975537.tif 000009
【図９】
0005975537.tif 000010
【図１０】
0005975537.tif 000011
【図１１】
0005975537.tif 000012
【図１２】
0005975537.tif 000013
【図１３】
0005975537.tif 000014
【図１４】
0005975537.tif 000015
【図１５】
0005975537.tif 000016
【図１６】
0005975537.tif 000017
【図１７】
0005975537.tif 000018
【図１８】
0005975537.tif 000019
【図１９】
0005975537.tif 000020
【図２０】
0005975537.tif 000021
【図２１】
0005975537.tif 000022
【図２２】
0005975537.tif 000023
【図２３】
0005975537.tif 000024
【図２４】
0005975537.tif 000025
【図２５】
0005975537.tif 000026
【図２６】
0005975537.tif 000027
【図２７】
0005975537.tif 000028
【図２８】
0005975537.tif 000029
【図２９】
0005975537.tif 000030
【図３０】
0005975537.tif 000031
【図３１】
0005975537.tif 000032
【図３２】
0005975537.tif 000033
【図３３】
0005975537.tif 000034
【図３４】
0005975537.tif 000035
【図３５】
0005975537.tif 000036